(57)【要約】【課題】平面表示デバイスを備えた画像表示装置において、ベゼルが独立の部材として用いられており、そのベゼルを固定するための両面テープ等も必要とされていたため、部品点数が多く必要になり、不経済であった。【解決手段】略偏平な表示画面を有する平面表示デバイス３６と、表示画面３６ａを露出させて平面表示デバイス３６を保持する装置本体３２と、表示画面の外縁を装飾するベゼルと、を備えた画像表示装置に関する。ベゼル部５８を平面表示デバイス３６と一体に設けた。【選択図】図４
2009075372.tif 000002
【特許請求の範囲】
【請求項１】
略偏平な表示画面を有する平面表示デバイスと、
前記表示画面を露出させて前記平面表示デバイスを保持する筐体と、
前記表示画面の外縁を装飾するベゼルと、を備えた画像表示装置において、
前記ベゼルを前記平面表示デバイスと一体に設けた
ことを特徴とする画像表示装置。
【請求項２】
前記平面表示デバイスを前記筐体の前面に配置した
ことを特徴とする請求項１記載の画像表示装置。
【請求項３】
前記筐体の前面側を構成するフロントキャビの前面に凹部を設け、
前記凹部に前記平面表示デバイスを収納した
ことを特徴とする請求項１記載の画像表示装置。
【請求項４】
前記ベゼルと前記筐体との間に、全範囲に亘って接触することのない隙間を設けた
ことを特徴とする請求項１記載の画像表示装置。
【請求項５】
前記ベゼルは、前記平面表示デバイスの前面側を構成する前面枠と一体に射出成形によって形成した
ことを特徴とする請求項１記載の画像表示装置。
【請求項６】
前記画像表示装置は、前記筐体の内部に組み込まれるスピーカ装置及び電気回路基板を有するテレビジョン装置である
ことを特徴とする請求項１記載の画像表示装置。
【発明の詳細な説明】
【技術分野】
【０００１】
本発明は、液晶ディスプレイや有機ＥＬディスプレイ等の平面表示デバイスを有するテレビジョン装置、ディスプレイ装置、ノート型パソコン、携帯電話その他の平面表示デバイスを有する画像表示装置に関し、特に、平面表示デバイスの外縁を装飾するベゼルに関するものである。
【背景技術】
【０００２】
先ず、図５〜図７を参照して、平面表示デバイスを備えたテレビジョン装置の一般的な構造について説明する。
図５は、従来の、一般の液晶テレビジョン装置の外観構成を示す斜視図である。このテレビジョン装置１は、筐体である装置本体２と、この装置本体２を支持するスタンド３と、を備えて構成されている。装置本体２は、前面側のフロントキャビ４と背面側のバックカバー５との組み合わせからなっている。この装置本体２の内部に、平面表示デバイスとスピーカ装置と電気回路基板等が組み込まれている。
【０００３】
フロントキャビ４は、その前面に長方形をなす大きな開口部７を有している。フロントキャビ４の開口部７には、平面表示デバイスの表示画面６ａが露出されている。更に、フロントキャビ４の前面には、内蔵されたスピーカ装置から発せられる音声を通すための多数の穴からなる発音部８が設けられている。また、フロントキャビ４の上面部には、電源、チャンネル、音量等を操作するためのスイッチボタン群９が配設されている。
【０００４】
図６は、テレビジョン装置１の装置本体２と、この装置本体２に収納された部品等の概略構成を示す分解斜視図である。また、図７は、装置本体２等を縦方向に断面して示す説明図である。これら図６及び図７に示すように、フロントキャビ４とバックカバー５とを組み合わせて構成される筐体の内部に、液晶パネル等の平面表示デバイス６と、スピーカ装置１０と、電気回路基板１１と、ブラケット１２等が組み込まれている。
【０００５】
平面表示デバイス６はフロントキャビ４の裏面側に配置されており、その背面側に配置されたブラケット１２によって固定されている。ブラケット１２は板金若しくはプラスチック成形品で形成されている。このブラケット１２をフロントキャビ４の裏面側に一体成形されたボス１３にネジ１４で固定することにより、ブラケット１２とフロントキャビ４との間で挟み込む状態で平面表示デバイス６が固定保持されている。
【０００６】
更に、ブラケット１２の裏面側には、一体成形あるいは別部品の圧入によるボス１５が設けられており、これに電気回路基板１１がネジ１６によって固定されている。また、スピーカ装置１０もネジ止めによってフロントキャビ４の裏面側に固定されている。フロントキャビ４は、その裏面側に一体成形されたボス１７を有しており、このボス１７にバックカバー５がネジ１８によって固定されている。
【０００７】
また、図５〜図７に示すように、フロントキャビ４の開口部７には、ベゼルと呼ばれる部品が設置されることがある。このベゼル２０は、主として、平面表示デバイス６の有効画面の周囲を装飾し、意匠的な特徴を持たせるために用いられるものである。このベゼル２０は、フロントキャビ４とは別部品として、プラスチックスや金属材料等によって形成されている。そして、ベゼル２０は、一般的には、両面テープ２１によってフロントキャビ４に貼着されている。
【０００８】
このように、ベゼル２０を両面テープ２１で固定したような従来のテレビジョン装置１では、フロントキャビ４及び平面表示デバイス６とは別にベゼル２０という部品が必要となり、更に、そのベゼル２０をフロントキャビ４等に固定するための両面テープ２１等の固定部材も必要になっていた。そのため、部品点数が多く必要になることから不経済であるという問題があった。しかも、ベゼル２０に両面テープ２１を貼り付け、そのベゼル２０をフロントキャビ４等に貼着するという工程も必要となり、作業工数が増えて作業効率が悪いという問題もあった。
【０００９】
このようなベゼルを備えたテレビジョン装置としては、例えば、特許文献１に記載されているようなものがある。この特許文献１には、液晶パネルの保持構造を有する液晶テレビに関するものが記載されている。この特許文献１に記載された液晶テレビは、「液晶パネルと、前記液晶パネルの周囲を枠取りするフロントベゼルと、前記フロントベゼルの左右に取付けられ前記液晶パネルの後方移動を制限するＬＣＤ側面金具とを備えた」ことを特徴としている。このような特徴を有する液晶テレビによれば、「液晶パネルの重量増加、衝撃により耐えられる液晶テレビが得られる」（明細書の段落［０００６］）という効果が期待される。
【特許文献１】特開２００７−１１４４３６号公報
【発明の開示】
【発明が解決しようとする課題】
【００１０】
本発明は、上述したような問題点に鑑みてなされたものであり、平面表示デバイスの表示画面の外縁を装飾するベゼルを、その平面表示デバイスと一体に形成することにより、部品点数や製造工数の削減を可能とした画像表示装置を提供することを目的とする。
【課題を解決するための手段】
【００１１】
上記目的を達成するため、本発明は、略偏平な表示画面を有する平面表示デバイスと、表示画面を露出させて平面表示デバイスを保持する筐体と、表示画面の外縁を装飾するベゼルと、を備えた画像表示装置において、ベゼルを平面表示デバイスと一体に設けたことを最も主要な特徴とする。
【００１２】
平面表示デバイスを筐体の前面に配置すると良い。また、筐体の前面側を構成するフロントキャビに、平面表示デバイスが収納される凹部を設けると良い。ベゼルと筐体との間には、全範囲に亘って接触することのない隙間を設けると良い。ベゼルは、平面表示デバイスの前面側を構成する前面枠と一体に射出成形によって形成することが好ましい。また、画像表示装置は、例えば、テレビジョン装置として用いることが好適である。
【発明の効果】
【００１３】
本発明の画像表示装置では、ベゼルを平面表示デバイスと一体に設けることにより、部品点数を削減し、製造工数の削減を可能とすることができる。
【発明を実施するための最良の形態】
【００１４】
以下、添付した図面を参照しながら、本発明の好適な実施の形態について詳細に説明する。
図１乃至図４は、本発明の画像表示装置の一実施例を示すものである。即ち、図１は、本発明の画像表示装置の第１の実施例を示す液晶テレビジョン装置の外観を現した斜視図、図２は同じく分解斜視図、図３は平面表示デバイスである液晶パネルの分解斜視図、図４は同じく中央部縦断面図である。
【００１５】
図１に示すように、本発明の画像表示装置に係る液晶テレビジョン装置３１は、装置本体３２と、この装置本体３２を支持するスタンド３３と、を備えて構成されている。装置本体３２は、前面側のフロントキャビ３４と背面側のバックカバー３５とを組み合わせてなる筐体である。図２に示すように、装置本体３２の前面に、液晶ディスプレイやプラズマディスプレイ、有機ＥＬディスプレイ等からなる平面表示デバイス３６が取り付けられている。
【００１６】
フロントキャビ３４とバックカバー３５は、何れも前面側から見て四角形をなすと共に平たくて比較的底の浅い容器体からなっている。このフロントキャビ３４とバックカバー３５を前後から重ね合わせることによって形成される空間部内に、スピーカ装置４０と、電気回路基板４１等が組み込まれている。これらフロントキャビ３４及びバックカバー３５は、何れも、ある程度の剛性と強度を有するエンジニアリングプラスチックによって形成されている。
【００１７】
フロントキャビ３４は、前面に大きく開口する四角形をなす凹部４４を有しており、この凹部４４に嵌め込まれるように平面表示デバイス３６が配置され、この平面表示デバイス３６の表示画面３６ａが全面的に露出されるようになっている。更に、フロントキャビ３４の前面の下部には、内蔵されたスピーカ装置４０から発せられる音声を通すための多数の穴からなる発音部３８が左右方向に所定の間隔をあけて設けられている。これら２つの発音部３８，３８の内側に、前記スピーカ装置４０がそれぞれ配置されている。また、フロントキャビ３４の上面部には、電源のオン・オフ、チャンネルの切り換え、音量調節等を行うための複数のスイッチボタンからなるスイッチボタン群３９が設けられている。
【００１８】
図２は、液晶テレビジョン装置３１の装置本体３２と、この装置本体３２に取り付けられる平面表示デバイス３６や電気回路基板４１等を示す分解斜視図である。そして、図４は、装置本体３２を縦方向に断面して内部構造の概略を示した説明図である。この図２及び図４から明らかなように、フロントキャビ３４の前面に凹部４４が設けられており、この凹部４４に嵌め込まれるように平面表示デバイス３６が配置される構造となっている。
【００１９】
フロントキャビ３４の凹部４４の４つの側面には、プラスチックの射出成形を行う金型の構造上から抜き勾配が設けられている。更に、凹部４４の底面には、複数箇所に台座部４５が円形に隆起するように形成されている。この台座部４５に当接するように平面表示デバイス３６が組み込まれており、その嵌合状態でフロントキャビ３４の裏面側から平面表示デバイス３６がネジ４６によってフロントキャビ３４に締付固定されている。
【００２０】
平面表示デバイス３６は、例えば、図３に示すような構成を有している。この平面表示デバイス３６は、ディスプレイ本体として液晶ディスプレイ５０を用いたものである。即ち、平面表示デバイス３６は、液晶ディスプレイ５０の他に、前面枠５１と、構造体５２と、バックライトホルダ５３と、裏蓋５４と、Ｔ−ｃｏｎシールド板５５と、インバーターシールド板５６等を備えて構成されている。
【００２１】
液晶ディスプレイ５０は、液晶を使ったディスプレイ装置である。この液晶ディスプレイ５０に前面枠５１が装着されており、その表示画面が前面枠５１の前面の四角形をなす開口部から露出されている。この前面枠５１と一体に、ベゼルであるベゼル部５８が形成されている。ベゼルは、液晶ディスプレイ５０の表示画面の外縁（周囲）を彩るように装飾する体裁部品となるもので、ベゼル部５８は、射出成形等の方法により成形して一体化（一部品化）させて形成する。なお、ベゼル部５８は、最終的に平面表示デバイス３６と一体に形成されていればよいもので、前面枠５１以外の構造体５２、バックライトホルダ５３或いは裏蓋５４等と一体に形成してもよい。
【００２２】
この前面枠５１にベゼル部５８が一体化されたベゼル一体前面枠６０に使用するプラスチック材料としては、例えば、アクリル系のアロイ樹脂｛例えば、ＰＣ（ポリカーボネート）とＰＭＭＡ（メタクリル樹脂）との複合材料、ＡＢＳ（アクリロニトリル・ブタジエン・スチレン樹脂）とＰＭＭＡとの複合材料等）が好適である。これは、前面に露出されるベゼル部５８の表面が体裁面となることから、高い光沢性、彩色性等を出すためには、これらの材料が好適なものだからである。しかしながら、ベゼル一体前面枠６０の材料としては、これらに限定されるものではなく、その他のエンジニアリングプラスチックを適用することができることは勿論である。
【００２３】
ベゼル一体前面枠６０のベゼル部５８は、図４等に示すように、フロントキャビ３４の凹部４４の外周縁と、この凹部４４に収納された平面表示デバイス３６の外周縁との間に全周に亘って生じる隙間Ｓを覆う役目を有している。この実施例では、ベゼル部５８は、平面表示デバイス３６側に固定するための固定部５８ａと、隙間Ｓを覆う庇部５８ｂとを有している。ベゼル部５８の庇部５８ｂは、少なくとも隙間Ｓを覆うことができる幅を有するものであればよいが、幅方向に余裕を持たせて隙間Ｓより幅広に大きく形成することが好ましい。
【００２４】
この凹部４４と平面表示デバイス３６との隙間Ｓは、例えば、１〜２ｍｍ程度が好適である。隙間Ｓが１ｍｍ以下であると、凹部４４の側面に平面表示デバイス３６が接触し易くなるからである。また、隙間Ｓが２ｍｍ以上であると、画像表示装置全体が大型化されるからである。しかしながら、隙間Ｓの寸法が１〜２ｍｍの範囲内に限定されるものでないことは勿論である。
【００２５】
また、平面表示デバイス３６をフロントキャビ３４の前面の凹部４４に嵌め込むように取り付けた状態において、凹部４４の裏面とフロントキャビ３４の前面との間には、０．５ｍｍ〜１．０ｍｍ程度の隙間Ｔが全周に亘って設けられている。この隙間Ｔは、ベゼル部５８の庇部５８ｂが振動したときに、その庇部５８ｂがフロントキャビ３４に接触しないようにするためのものである。この隙間Ｔを０．５ｍｍ〜１．０ｍｍの範囲に設定した理由は、隙間Ｔを０．５ｍｍ以下にすると庇部５８ｂがフロントキャビ３４に接触し易くなり、また、隙間Ｔを１．０ｍｍ以上にするとゴミやホコリ等が入り易くなるからである。しかしながら、隙間Ｔの寸法が０．５ｍｍ〜１．０ｍｍの範囲内に限定されるものでないことは勿論である。
【００２６】
このような構成を有するベゼル一体前面枠６０に収納される液晶ディスプレイ５０の後側に構造体５２が配置され、その構造体５２の後側にバックライトホルダ５３が配置されている。バックライトホルダ５３は、液晶ディスプレイ５０の背面に配置されるバックライトを保持するもので、このバックライトホルダ５３の後側に裏蓋５４が配置されている。そして、裏蓋５４に、Ｔ−ｃｏｎシールド板５５とインバーターシールド板５６が取り付けられている。
【００２７】
また、図２に示すように、この装置本体３２において、フロントキャビ３４とバックカバー３５を組み合わせて構成される筐体の内部に、スピーカ装置４０と電気回路基板４１が組み込まれている。ここで、電気回路基板４１は、フロントキャビ３４の裏面側に直接取り付けられるようになっている。即ち、この実施例では、フロントキャビ３４の裏面側にボス６２が一体に設けられており、このボス６２に電気回路基板４１をネジ６３によって固定するようにしている。また、スピーカ装置４０もネジ止めによってフロントキャビ３４の裏面側に固定されている。更に、フロントキャビ３４は、その裏面側に突出する一体成形されたボス６４を有しており、このボス６４にバックカバー３５がネジ６５によって締付固定されている。
【００２８】
次に、上述したような構成を有する装置本体３２等の組み立て手順について説明する。まず、フロントキャビ３４の前面の凹部４４に、その前方から平面表示デバイス３６を嵌め込む。そして、凹部４４に嵌め込まれた平面表示デバイス３６を、フロントキャビ３４の裏面側からネジ６３で締付固定する。これにより、平面表示デバイス３６がフロントキャビ３４の前面の凹部４４内の所定位置に取り付けられる。このとき、凹部４４と液晶ディスプレイ５０との間に形成される隙間Ｓが、平面表示デバイス３６に設けられたベゼル部５８によって覆われる。
【００２９】
次に、フロントキャビ３４に一体成形されたボス６２に電気回路基板４１をネジ６３によって締付固定する。更に、スピーカ装置４０をフロントキャビ３４の裏面側に固定する。最後に、後方からバックカバー３５をフロントキャビ３４に重ね合わせ、そのバックカバー３５をネジ６５によって締付固定する。これにより、装置本体３２の組立工程が終了する。その後、装置本体３２をスタンド３３に取り付けることにより、この液晶テレビジョン装置３１の組立工程が完了する。
【００３０】
以上のように構成される本実施例の液晶テレビジョン装置３１では、ベゼルを一体化した平面表示デバイス３６を採用することにより、通常、別部品として形成されるベゼルを、平面表示デバイスの一部として用いることができる。そのため、従来から行われていた両面テープ等の固着手段を用いてベゼルを筐体に固定（貼着、溶着等）する作業を省略することができ、特別な作業を行うことなく、ベゼル本来の機能を発揮させて、装飾性を向上させる等の意匠的機能の向上を図ることができる。
【００３１】
また、本実施例の液晶テレビジョン装置３１では、平面表示デバイス３６をフロントキャビ３４の前面に取り付ける構造としたことにより、フロントキャビ３４と平面表示デバイス３６の接触部がネジによる固定部分のみとなるので、スピーカ装置４０から発生される音声によるビリツキの発生を効果的に抑制することができる。更に、本実施例の構成では、平面表示デバイス３６の周面とこの平面表示デバイス３６が嵌め込まれる凹部４４との間に予め隙間Ｓ及び隙間Ｔを設けてあるので、音声のビリツキの発生をより確実に防止することができる。このため、従来のテレビジョン装置で用いられていたビリツキ対策用の緩衝材などが一切不要となり、その分だけ従来よりも部品点数が削減され、コスト低減を図ることができる。
【００３２】
更に、本実施例の液晶テレビジョン装置３１では、平面表示デバイス３６をフロントキャビ３４の前面に取り付ける構造としたことにより、従来のテレビジョン装置で用いられていた液晶パネルを保持するためのブラケットが不要となる。そのため、更なる部品点数の削減が可能となり、コスト低減に一段と大きな効果が得られる。更に又、フロントキャビ３４の凹部４４の底面に台座部４５を隆起させるように形成し、この台座部４５に載せるように平面表示デバイス３６を凹部４４に嵌め込んで取り付ける構造としたため、図４から明らかなように、平面表示デバイス３６の背面と凹部４４との間に隙間を形成し、その隙間を利用した煙突効果によって、平面表示デバイス３６から発せられる熱を効率的に放熱することができる。この場合、フロントキャビ３４に放熱用の穴を設ける構成とすれば、より効率的な放熱効果を得ることが可能となる。
【００３３】
以上、本発明の実施例について説明したが、本発明はこの実施例の構成に限定されるものではなく、他にも種々の実施形態を採り得るものであることは言うまでもない。例えば、平面表示デバイス３６として液晶パネルを用いた例について説明したが、プラズマディスプレイ、有機ＥＬディスプレイ、その他各種の平面映像デバイスを適用することができる。更に、本発明の画像表示装置として液晶テレビジョン装置を適用した例について説明したが、ディスプレイ装置、ノート型パソコン、携帯電話、ＰＨＳ、ディスプレイを用いたゲーム機等のように平面表示デバイスを用いる各種の画像表示装置に適用できることは勿論である。
【図面の簡単な説明】
【００３４】
【図１】本発明の画像表示装置の第１の実施の例を示すテレビジョン装置の外観を現した斜視図である。
【図２】本発明の画像表示装置の第１の実施の例を示すテレビジョン装置の装置本体の構造を示す分解斜視図である。
【図３】本発明の画像表示装置の第１の実施の例を示すテレビジョン装置の平面表示デバイスの構造を示す分解斜視図である。
【図４】本発明の画像表示装置の第１の実施の例を示すテレビジョン装置の装置本体を断面した説明図である。
【図５】従来のテレビジョン装置の外観を示す斜視図である。
【図６】従来のテレビジョン装置の装置本体の構造を示す分解斜視図である。
【図７】従来のテレビジョン装置の装置本体を断面して示す説明図である。
【符号の説明】
【００３５】
３１…液晶
テレビジョン装置（画像表示装置）、  ３２…装置本体（筐体）、  ３４…フロントキャビ、  ３５…バックカバー、  ３６…平面表示デバイス、  ３６ａ…表示画面、  ４０…スピーカ装置、  ４１…電気回路基板、  ４４…凹部、  ４５…台座部、  ５１…前面枠、  ５８…ベゼル部、  ５８ｂ…庇部、  ６０…ベゼル一体前面枠、  Ｓ…隙間、  Ｔ…隙間
【図１】
2009075372.tif 000003
【図２】
2009075372.tif 000004
【図３】
2009075372.tif 000005
【図４】
2009075372.tif 000006
【図５】
2009075372.tif 000007
【図６】
2009075372.tif 000008
【図７】
2009075372.tif 000009